(57)【要約】【課題】  床パネル裏面に格子状または円形状のリブが設けられ、これに床パネル支持脚の支持板に立設された複数の突起が嵌合されて位置決めが行われる床パネル支持構造において、配管、配線の干渉をさけて容易に支持脚を設置でき、高い機械的物性を発現することのできる二重床構造を提供する。【解決手段】  床パネル裏面に格子状または円形状のリブが設けられ、これに床パネル支持脚１の支持板１１に立設された複数の突起１１０が嵌合されて位置決めが行なわれる床パネル支持構造において、対向する突起１１０ａ-１１０ｂ、１１０ｃ-１１０ｄの内側に設けられたスぺーサー１０２ａ、１０２ｂと突起１１０ｂ、１１０ｄにより、前記リブが挟み込まれて位置決めが行なわれる。床パネル２は、ポリエチレンおよびポリプロピレンを主体とする熱可塑性樹脂とこれに充填されたフライアッシュとからなる組成物（フライアッシュの充填量：４０vol％）で構成されている。【選択図】  図１
2007032234.tif 000002
【特許請求の範囲】
【請求項１】
床パネル裏面に格子状または円形状のリブが設けられ、これに床パネル支持脚の支持板に立設された複数の突起が嵌合されて位置決めが行われる床パネル支持構造において、床パネルが無機材料を充填した樹脂からなり、支持板における対向する突起の内側に設けられたスペーサーと突起により、前記リブが挟み込まれて位置決めが行われることを特徴とする二重床構造における床パネル支持構造。
【請求項２】
床パネル裏面に格子状または円形状のリブが設けられ、これに床パネル支持脚の支持板に立設された複数の突起が嵌合されて位置決めが行われる床パネル支持構造において、床パネルが無機材料を充填した樹脂からなり、対向する突起の内側に設けられたスペーサー同士により、前記リブが挟み込まれて位置決めが行われることを特徴とする二重床構造における床パネル支持構造。
【請求項３】
前記スペーサーを前記支持板上に一体成形されてなることを特徴とする請求項１または２に記載の二重床構造における床パネル支持構造。
【発明の詳細な説明】
【技術分野】
【０００１】
本発明は、集合住宅等において床基盤上に配管、配線を行う為の空隙を設けて床パネルを設置する二重床構造に関するものである。
【背景技術】
【０００２】
近年、集合住宅、オフィス等において床基盤上に空隙を介して床下地パネルを設置し、その間に配管、配線等を行なう二重床構造が数多く採用されている。この二重床構造を用いることにより、リフォーム時に配管、配線等を変更する際、構造躯体を工事する必要が少なくできるという利点がある。かかる二重床を施工するには、床パネルを床基礎面から所定の高さに支持し、床パネルを固定し、連結する支持脚が必要であり、これらを組み立て、施工する場合の機能としては、支持脚による床パネルの嵌合、支持が簡単で確実であり、煩雑に張り巡らされた配管や配線をかわして床基盤と床パネル間に支持脚を設置できる施工の自由度があるとともに、床パネル中の支持と床パネル間の十字状交差などの連結が行なえるなどの機能が求められる。
【０００３】
例えば、床パネル中の支持と、床パネル間の十字状交差連結が可能な支持脚の提案がなされている（例えば、特許文献１参照）。
【０００４】
特許文献１のタイルパネル連結支持脚は、直置きタイルパネル相互間を連結乃至は該タイルパネルを支持する連結支持脚であって、上記連結支持脚は台盤と該台盤より立設した連結片とが一体に形成され、上記連結片は、タイルパネルの補強リブを挟持する対をなす並立片が、その並立方向を上記台盤の中心に向け等間隔に配設されていると共に、上記並立片の相隣る位置には嵌挿片が各々配設されていることを特徴とするタイルパネル連結支持脚である。
【０００５】
特許文献１のタイルパネル連結支持脚の場合、従来のタイルパネルの連結支持脚の問題点の一つであった、タイルパネル同士間の接続に使用する連結具と、タイルパネルを基盤床面で支持する支持脚とを、機能の相違に基づいて別部材を使用していた為に、部材の種類が多くなり不便であったと共に、敷設工事における取付け作業が煩雑であったという問題点が解決されている。
【特許文献１】特開平７−２３３６１４号公報（第１頁〜第３頁）
【発明の開示】
【発明が解決しようとする課題】
【０００６】
しかしながら、特許文献１の提案では、煩雑に張り巡らされた配管や配線をかわして床基盤と床パネル間に支持脚を設置しようとする場合、タイルパネルの補強リブと、これを挟持して固定する、連結支持脚の取り付け可能位置が限定される。すなわち、さらに詳しくは、台盤と該台盤より立設した連結片（並立片）、および並立片の相隣る位置に配設される嵌挿片を各々床パネルの補強リブと嵌合させ、接合する場合、パネルの補強リブの位置によって支持脚の取り付け可能位置が限定される。このために、煩雑な配管がなされる場合、これを避けて連結支持脚を設置することができないという問題点が残っている。また、これを避けて支持脚を設置しようとする場合には、別の補助支持脚を用いる必要があるという問題点がある。
【０００７】
本発明は、床パネル裏面に格子状または円形状のリブが設けられ、これに床パネル支持脚の支持板に立設された複数の突起が嵌合されて位置決めが行われる床パネル支持構造において、配管、配線の干渉をさけて容易に支持脚を設置でき、高い機械的物性を発現することのできる二重床構造を提供することを目的とする。
【課題を解決するための手段】
【０００８】
本発明は、上記目的を達成するためになされたものであり、請求項１記載の発明は、
床パネル裏面に格子状または円形状のリブが設けられ、これに床パネル支持脚の支持板に立設された複数の突起が嵌合されて位置決めが行われる床パネル支持構造において、床パネルが無機材料を充填した樹脂からなり、支持板における対向する突起の内側に設けられたスペーサーと突起により、前記リブが挟み込まれて位置決めが行われることを特徴とする二重床構造における床パネル支持構造である。
【０００９】
請求項２記載の発明は、床パネル裏面に格子状または円形状のリブが設けられ、これに床パネル支持脚の支持板に立設された複数の突起が嵌合されて位置決めが行われる床パネル支持構造において、床パネルが無機材料を充填した樹脂からなり、対向する突起の内側に設けられたスペーサー同士により、前記リブが挟み込まれて位置決めが行われることを特徴とする二重床構造における床パネル支持構造である。
【００１０】
請求項３記載の発明は、前記スペーサーを前記支持板上に一体成形されてなることを特徴とする請求項１または２に記載の二重床構造における床パネル支持構造である。
【００１１】
本発明において、床パネルを構成する樹脂は、ポリプロピレン、ポリエチレン、ポリ塩化ビニルなどであってよい。床パネル用の樹脂に充填する無機材料は、フライアッシュ、マイカ、バライト、ガラス繊維、硅砂、蛇紋岩粉砕物、セメント、石膏、ウォラストナイト等、特に限定されない。床パネル中の無機材料の充填量は10〜70vol％、好ましくは30〜50vol％である。
【発明の効果】
【００１２】
請求項１および２記載の発明は、対向する突起の内側に設けられたスぺーサーと突起によりまたはスぺーサー同士により、前記リブが挟み込まれて位置決めが行なわれることを特徴とする二重床構造における床パネル支持構造であるので、リブ間の寸法の制限が小さく、床パネルを支持脚が嵌合できる範囲が広くて、配管や配線と支持脚の干渉を避けることが容易であり、床パネルの嵌合、支持が簡単で確実である。
【００１３】
また、樹脂製の床パネルに無機材料を充填することにより、床パネルの剛性が向上する。また、スペーサーを設けることにより容易に支持脚と配管との干渉を避けることができることから、支持脚の設置可能範囲が増え、高い衝撃強度を維持することができる。
【００１４】
請求項３記載の発明は、前記スぺーサーを前記支持板上に一体成形されてなる床パネル支持構造であるので、上記の効果に加え、床パネルの嵌合、支持がさらに簡単で確実である床パネル支持構造である。
【発明を実施するための最良の形態】
【００１５】
以下、本発明の実施の形態を、図面を参照にして説明する。これらは、本発明の一例の実施形態を示したものである。
【００１６】
図１は、本発明に係る二重床材の床パネル支持脚の一例を示す（ａ）側面図（ｂ）上面図である。
【００１７】
図１において、床パネル支持脚１は、支持板１１と脚１２とからなっている。床パネル支持脚１は床１０に脚１２が垂直に、支持板１１が水平になる様に設置される。１３はゴム座、１４は座金である。支持板１１には、床パネルの格子状リブの方形格子目の四隅に対応する位置に４つの突起１１０ａ、１１０ｂ、１１０ｃ、１１０ｄが設けられる。２対の相対する突起１１０ａと１１０ｂ、１１０ｃと１１０ｄの間には、片側の突起１１０ａと１１０ｃの内側に接して、スペーサ１２０ａ、１２０ｂが設けられる。突起１１０ｂとスペーサ１２０ａ、突起１１０ｄとスペーサ１２０ｂとの間隔は、床パネルの格子状リブを挟み込む様、リブ幅と略同一に設定される。
【００１８】
図２は、本発明に係る二重床材の床パネル支持脚の支持板が、床パネルへ嵌合する状態を示す床パネルの裏面図である（リブが形成する形状が格子状である場合）。
【００１９】
２は床パネルで、ポリエチレンおよびポリプロピレンを主体とする熱可塑性樹脂とこれに充填されたフライアッシュとからなる組成物で構成されている（フライアッシュの充填量：４０vol％）。
【００２０】
２１は天板、２２は格子状リブ、２２０は格子目を示す。１１Ａ〜１１Ｄは支持板の位置を示す。支持板の位置が１１Ａの場合、４つの突起１１０Ａ、１１０Ａ、１１０Ａ、１１０Ａの外側の部位が、図に示すように床パネル２の格子状リブ２２のリブ格子目２２０のリブ交差コーナに嵌合される形状とされている。この場合は、本発明のスペーサを用いてない場合のリブと突起の嵌合の状態の一例を示しているが、スペーサを用いる場合も、リブと突起がこの様な嵌合ができる形状とされていることが望ましい。
【００２１】
支持板の位置が１１Ｂの場合、４つの突起１１０Ｂａ、１１０Ｂｂ、１１０Ｂｃ、１１０Ｂｄのうち、２対の相対する突起１１０Ｂａと１１０Ｂｂ、１１０Ｂｃと１１０Ｂｄの間には、片側の突起１１０Ｂａと１１０Ｂｃの内側に接して、スペーサ１２０Ｂａ、１２０Ｂｂが設けられ、突起１１０Ｂｂとスペーサ１２０Ｂａ、突起１１０Ｂｄとスペーサ１２０Ｂｂとの隙間で、床パネル２の格子状リブ２２を挟み込んでいる。隙間は、リブ幅と同一に設定される。この場合、スぺーサーは、支持板上に一体成形されている。
【００２２】
支持板の位置が１１Ｃの場合、４つの突起のうち２つが１１０Ｂａ、１１０Ｂｂの外側の部位が、図に示すように床パネル２の格子状リブ２２のリブ格子目２２０のリブ交差コーナに嵌合、２つが１１０Ｂｃ、１１０Ｂｄの外側の部位が、図に示すように床パネル２の格子状リブ２２の隣のリブ格子目２２０のリブ交差コーナに嵌合される形状とされている。この場合も、支持板の位置が１１Ａの場合と同様、本発明のスペーサを用いてない場合のリブと突起の嵌合の状態の一例を示している。スペーサを用いる場合も、リブと突起がこの様な嵌合ができる形状とされていることが望ましい。
【００２３】
支持板の位置が１１Ｄの場合、４つの突起１１０Ｄａ、１１０Ｄｂ、１１０Ｄｃ、１１０Ｄｄのうち、２対の相対する突起１１０Ｄａと１１０Ｄｂ、１１０Ｄｃと１１０Ｄｄの間には、突起１１０Ｄｂと１１０Ｄｄに接して、スペーサ１２０Ｄａ、１２０Ｄｂが設けられ、突起１１０Ｄａとスペーサ１２０Ｄａ、突起１１０Ｄｃとスペーサ１２０Ｄｂとの隙間で、床パネル２の格子状リブ２２を挟み込んでいる。この場合も、隙間はリブ幅と同一に設定される。また、スペーサ１２０Ｄｄと突起１１０Ｄｂ、および１１０Ｄｄの隙間は、各格子状リブ２２を挟み込む様、略リブ幅に設定される。また、スペーサ１２０Ｄｃと突起１１０Ｄａ、および１１０Ｄｃの隙間は、各格子状リブ２２を挟み込ませる様、略リブ幅に設定されていて、この隙間で格子状リブ２２を挟み固定することも可能である。この場合も、スぺーサーは、支持板上に一体成形されている。
【００２４】
このように、本発明の二重床構造における床パネル支持構造は、リブ間の寸法の制限が小さく、床パネルを支持脚が嵌合できる範囲が広くて、配管や配線と支持脚の干渉を避けることが容易であり、床パネルの嵌合、支持が簡単で確実である。
【００２５】
図３は、本発明に係る二重床材の床パネル支持脚の支持板が、床パネルへ嵌合する状態を示す図面である（リブが形成する形状が円形状である場合）。
【００２６】
２は床パネルの裏面、２２Ｌは円形状リブ、１１Ｆ、１１Ｇは支持板の位置を示す。支持板の位置が１１Ｆの場合、４つの突起１１０Ｆ、１１０Ｆ、１１０Ｆ、１１０Ｆの外側の部位が、図に示すように床パネル２の円形状リブ２２Ｌのリブの内側に嵌合される形状とされている。突起の数は通常、床パネルの十字状交差連結も行なえる機能をもつものとして、４が望ましいが、床パネルの支持、固定のために、この数に限定されるものではない。
【００２７】
支持板の位置が１１Ｇの場合、４つの突起１１０Ｇａ、１１０Ｇｂ、１１０Ｇｃ、１１０Ｇｄのうち、２対の相対する突起１１０Ｇａと１１０Ｇｂ、１１０Ｇｃと１１０Ｇｄの間には、片側の突起１１０Ｇｂと１１０Ｇｄの内側に接して、スペーサ１２０Ｇａ、１２０Ｇｂが設けられ、突起１１０Ｇａとスペーサ１２０Ｇａ、突起１１０Ｇｃとスペーサ１２０Ｇｂとの隙間で、床パネル２の円形状リブ２２Ｌを挟み込ませている。スペーサの形状は、挟み込みがなされる様、リブと突起に合わせて決められる。
【００２８】
図４は、本発明に係る二重床材の床パネル支持脚の支持板により、床パネルサイドの連結が行なわれる場合の、外周リブ内側に嵌合する状態を示す図面である。
【００２９】
２は床パネルの裏面、２’は隣の床パネルの裏面である。１１Ｅは支持板の位置を示す。４つの突起１１０Ｅａ、１１０Ｅｂ、１１０Ｅｃ、１１０Ｅｄのうち、２対の相対する突起１１０Ｅａと１１０Ｅｂ、１１０Ｅｃと１１０Ｅｄの間には、各々スペーサ１２０Ｅａ、１２０Ｅｂとスペーサ１２０Ｅｃ、１２０Ｅｄが設けられる。突起１１０Ｅａとスペーサ１２０Ｅａの隙間、および突起１１０Ｅｃとスペーサ１２０Ｅｃの隙間は、床パネル２’の外周リブ２２１’に略同一であり、これを挟み込んでいる。また、スペーサ１２０Ｅｂとスペーサ１２０Ｅａ、およびスペーサ１２０Ｅｄとスペーサ１２０Ｅｃの隙間は、床パネル２の外周リブ２２１に略同一であり、これを挟み込んでいる。各スペーサは支持板上に粘着材料で固定がなされる。
【００３０】
また、相対する突起１１０Ｅｄと１１０Ｅｂの間には、スペーサ１２０Ｅｅが突起１１０Ｅｄに接して設置され、スペーサ１２０Ｅｅと突起１１０Ｅｂの隙間は、格子状リブ２２のリブ幅と略同一に設定される。これを挟み込んでいる。スペーサは、粘着材料で支持板に固定がなされる。
【００３１】
この様にして、床パネル支持脚の支持板の突起とスペーサにより、外周リブ内側に嵌合がなされ、床パネルサイドの連結、固定が行なわれ、二重床の床パネルが支持固定される。また、同様にして床パネルの十字交差連結もリブに対して突起、スペーサの位置決めが行なわれる形状となされ、連結、固定が行なわれる。
【００３２】
ついで、床パネルの上にフローリングが施工される。
【００３３】
上記構成の二重床構造における床パネル支持構造において、１）床パネルを、ポリエチレンおよびポリプロピレンを主体とする熱可塑性樹脂で構成した場合と、２）床パネルを、ポリエチレンおよびポリプロピレンを主体とする熱可塑性樹脂とこれに充填されたフライアッシュとからなる組成物（フライアッシュの充填量：４０vol％）で構成した場合について、ａ）壁際のパネル分割片における最大支持脚間ピッチ、ｂ）上記支持脚間の中央に100kg錘（80φ）を積載した時のたわみ(mm)、およびｃ）30kg砂袋を50cm高さから落下させた時の衝撃割れの有無を調べた。この結果を表１に示す。
【表１】
2007032234.tif 000003
【００３４】
表１から明らかなように、床パネルにフライアッシュを含有させると、最大支持脚間ピッチ２８０ｍｍで砂袋落下による衝撃割れが生じなかった。
【００３５】
壁２０１際のパネル分割片２ａでは、図５に示すように、隣接する２本の支持脚１，１（ピッチ：５００ｍｍ）の中間部に補強用の支持脚１ａが設けられている。したがって、パネル分割片２ａでは、最大支持脚間ピッチは２５０ｍｍである。
【００３６】
床パネル２の下に配管２０２が走っている場合、図６に示すように、隣接する２本の支持脚１，１の間にある補強用の支持脚１ａは、配管２０２を避けるように一方の支持脚１の方に寄って設けられ、最大支持脚間ピッチは２８０ｍｍとされる。このようにして、壁際部における補強脚が配管に干渉するのを避けることができる。
【００３７】
ただし、図７に示すように、補強用の支持脚１ａが一方の支持脚１の方に寄りすぎて、最大支持脚間ピッチが３００ｍｍを超えると、衝撃割れが生じる。なお、支持脚１および補強用の支持脚１ａのゴム座は遮音ゴムで構成され、支持脚１ｂのゴム座は高硬度ゴムで構成されている。
【産業上の利用可能性】
【００３８】
本発明の活用例としては、集合住宅、オフィス等において床基盤上に空隙を介して床下地パネルを設置し、その間に配管、配線等を行なう二重床構造において、施工する際、支持脚による床パネルの嵌合、支持が簡単で確実であり、煩雑に張り巡らされた配管や配線をかわして床基盤と床パネル間に支持脚を設置できる施工の自由度があるとともに、床パネル中の支持と床パネル間の十字状交差などの連結が行なえるなどの機能を持つ、二重床構造における床パネル支持構造として活用される。
【図面の簡単な説明】
【００３９】
【図１】本発明に係る二重床材の床パネル支持脚の一例を示す（ａ）側面図、（ｂ）平面図である。
【図２】本発明に係る二重床材の床パネル支持脚の支持板が、床パネルへ嵌合する状態を示す床パネルの裏面図である（リブが形成する形状が格子状である場合）。
【図３】本発明に係る二重床材の床パネル支持脚の支持板が、床パネルへ嵌合する状態を示す床パネルの裏面図である（リブが形成する形状が円形状である場合）。
【図４】本発明に係る二重床材の床パネル支持脚の支持板により、床パネルサイドの連結が行なわれる場合の、外周リブ内側に嵌合する状態を示す床パネルの裏面図である。
【図５】壁際のパネル分割片において、隣接する２本の支持脚の中間部に補強用の支持脚が設けられている状態を示す床パネルの裏面図である。
【図６】床パネルの下に配管が走っている場合に、補強用の支持脚が一方の支持脚の方に寄って設けられ、補強脚が配管に干渉するのを避ける状態を示す床パネルの裏面図である。
【図７】補強用の支持脚が一方の支持脚の方に寄りすぎた状態を示す床パネルの裏面図である。
【符号の説明】
【００４０】
１        床パネル支持脚
１ａ      補強用の支持脚
１１      支持板
１１０    突起
１２０    スぺーサー
１１０１  突起の外側部位
１１０１  突起の外側部位
１１００  中央突起
２        床パネル
２ａ      パネル分割片
２１      天板
２２      格子状リブ
２０２    配管
２２０    格子目
２２１    外周リブ
２２Ｌ    円形状リブ
【図１】
2007032234.tif 000004
【図２】
2007032234.tif 000005
【図３】
2007032234.tif 000006
【図４】
2007032234.tif 000007
【図５】
2007032234.tif 000008
【図６】
2007032234.tif 000009
【図７】
2007032234.tif 000010